(57)【要約】【課題】収納したカードの抜け落ちを防止する機能を有するとともに、カードの出し入れをワンタッチで行え、しかもデザイン上の制約も少ない収納具を提供すること。【解決手段】カードＣを出し入れする少なくとも１つ以上のポケット５のあるカード収納部を設けたカード入れ、財布等の収納具において、ポケット５に収納したカードＣの露出辺に隣接する位置に当該露出辺と平行となる凸状のストッパー８を設ける。ポケット５に収納したカードＣが抜け出そうとすると、そのカードＣの露出辺がストッパー８に当接するので、携帯時におけるカードの抜け落ちが防止される。しかも、カード収納部のポケット５に対するカードＣの出し入れに際して、収納具自体の撓みを利用し、ストッパーを乗り越えるようにしてカードを滑らせる操作を行えばよいので、ワンタッチでカードの出し入れを行うことができる。【選択図】図２
2006218072.tif 000002
【特許請求の範囲】
【請求項１】
カードを出し入れする少なくとも１つ以上のポケットのあるカード収納部を設けたカード入れ、財布等の収納具において、ポケットに収納したカードの露出辺に隣接する位置に当該露出辺と平行となる凸状のストッパーを設けたことを特徴とする収納具。
【請求項２】
ポケットに差し込んで固定する板状部材の先端にストッパーを形成したことを特徴とする請求項１に記載の収納具。
【請求項３】
ポケット内にカードとの摩擦力を生じる滑り止め部分を形成したことを特徴とする請求項１又は２に記載の収納具。
【発明の詳細な説明】
【技術分野】
【０００１】
本発明は、カード入れ、財布等のカードを収納するための収納具の分野に属し、詳しくは、キャッシュカード、クレジットカード、会員カード、定期券等を入れるポケットのあるカード収納部を設けたカード入れ、財布等の収納具に関するものである。
【背景技術】
【０００２】
通常、この種のカード入れ、財布等の収納具は、衣服のポケットやカバンなどに入れて携帯する。そして、必要なときに取り出し、カード収納部のポケットに入れてあるカードを抜き出して使用するものであるが、カードは硬質の合成樹脂製であるので、携帯時にポケットから滑り落ちる危険性がある。すなわち、ポケットの摩擦力で滑り落ちないようにはしているが、使用するにつれてポケットの入口が広がり、把持力が緩くなって簡単に抜けるようになるからである。
【０００３】
そこで、特許文献１及び特許文献２に示すように、財布の内側に柔軟性のあるストッパー帯（カード抜け落ち防止片）を介在させるようにしたものが提案されている。これは、長板状をしたストッパー帯の基部を財布の上部に固定し、ポケットの入口を覆うようにしたものである。
【特許文献１】実開平６−７９３２１号公報
【特許文献２】特開２００１−７８８１９号公報
【発明の開示】
【発明が解決しようとする課題】
【０００４】
上記したカード入れ、財布等の収納具は、ポケットに収納したカードがその露出部分をストッパー帯で押さえられた状態になるので、携帯時にポケットの中のカードが抜け落ちることがない。しかしながら、カードを出し入れするに際して、ストッパー帯をいちいちめくりあげる必要があり、使い勝手が悪いという取扱い上の問題がある。また、ストッパー帯が段状のポケットを縦方向に覆うので、体裁が悪い上に収納具全体が嵩張るというデザイン上の制約がある。
【０００５】
本発明は、このような問題点に鑑みてなされたものであり、その目的とするところは、収納したカードの抜け落ちを防止する機能を有するとともに、カードの出し入れをワンタッチで行え、しかもデザイン上の制約も少ないカード入れ、財布等の収納具を提供することにある。
【課題を解決するための手段】
【０００６】
上記の目的を達成するため、本発明の収納具は、カードを出し入れする少なくとも１つ以上のポケットのあるカード収納部を設けたカード入れ、財布等の収納具において、ポケットに収納したカードの露出辺に隣接する位置に当該露出辺と平行となる凸状のストッパーを設けたことを特徴としている。
【０００７】
そして、ポケットに差し込んで固定する板状部材の先端にストッパーを形成するようにしてもよい。さらには、ポケット内にカードとの摩擦力を生じる滑り止め部分を形成するようにしてもよい。
【発明の効果】
【０００８】
本発明の収納具は、ポケットに収納したカードが抜け出そうとすると、そのカードの露出辺がストッパーに当接するので、携帯時におけるカードの抜け落ちが防止される。しかも、カード収納部のポケットに対するカードの出し入れに際して、収納具自体の撓みを利用し、ストッパーを乗り越えるようにしてカードを滑らせる操作を行えばよいので、ワンタッチでカードの出し入れを行うことができる。また、前記した帯状のストッパーに比べると、カードは今までと同様に上部がポケットから露出して見える状態になり、ストッパー自体の高さもカードと変わらないので、嵩張りが少なくデザイン上の制約が少ないという利点もある。
【０００９】
そして、ポケット内にカードとの摩擦力を生じる滑り止め部分を形成することにより、ストッパーによる抜け落ち防止作用に、この滑り止め部分の作用が加わるので、カード収納部のポケットからカードの抜け落ちるのが一層防止される。
【発明を実施するための最良の形態】
【００１０】
以下、図面を参照しながら本発明の実施の形態について説明する。
【００１１】
図１は本発明に係る収納具の一例としての財布を見開き状態で示す平面図、図２は図１の要部を断面で表した説明図である。
【００１２】
この財布Ｗは普通の財布と同じ構造をしている。すなわち、中央の折曲げ部１を挟んで右側が札入れ部２で左側がカード収納部３であり、札入れ部２はその札口２ａが折曲げ部１の方を向いており、表側には内側２辺が開口したメモ入れ部４が設けられている。カード収納部３は、カードを出し入れする部分であり、この財布ＷではカードＣをそれぞれ縦向き状態で段違いに差し込む４つのポケット５が設けられている。
【００１３】
カード収納部３のポケット５は、布、合成皮革、合成樹脂等の比較的軟らかい材料からなる本体部６に同様の蓋部材７を縫い付けるか接着することで形成されており、そのポケット５には先端に凸状のストッパー８を幅方向に所定の長さで形成した板状部材９が差し込まれ装着固定されている。板状部材９には軟質合成樹脂製のものが用いられており、その先端にストッパー８が一体成型により設けられている。ここで、板状部材９は薄くて十分な可撓性があり、財布Ｗの曲げに追従できるものになっている。なお、ストッパー８を別部材（布、皮革、合成樹脂等の棒状部材）とし、板状部材９に装着固定するようにしてもよい。
【００１４】
ストッパー８は、ポケット５に収納したカードＣの露出辺より長さのある棒状であり、当該露出辺と平行となるように設けられている。そして、図示のストッパー８には、カードＣの落下防止をより確実なものにするため、カードＣが当接する面にカード端部が入るサイズで断面コの字の欠き込み８ａが設けられている。また、板状部材９におけるストッパー側の面に滑り止め部分９ａを形成してある。図示の例では、成型時に波形の滑り止め部分９ａを一体的に形成しているが、波形は状況に応じて適宜の形状としてよいものであり、或いは、波形を作らずに滑り止め作用のある凹凸状部材やテープ状部材を貼り付けて滑り止め部分９ａとしてもよい。
【００１５】
図３に示す例では、ストッパー８におけるカードＣが当接する面にエッジ状の欠き込み８ｂを設けてある。本体部６の材質が革、合成皮革、合成樹脂等の比較的硬めの材料の場合は、カードＣを出し入れする場合に財布自体が余り撓まないので、当接したカード先端部分を外れやすくするため、このタイプの欠き込み８ｂの方が好ましい。
【００１６】
上記の構成からなる財布Ｗは次のように使用する。
【００１７】
財布Ｗの使用者はカード収納部３のポケット５にカードＣを入れる。このカードを収納する際の動作は、通常の入れ方と同じである。そして、カードＣの収納状態にあっては、板状部材９の滑り止め部分９ａによりカードＣに摩擦力が作用するとともに、カードＣがポケット５から抜け出そうとすると、カードＣの露出辺がストッパー８に当接するので抜け落ちるのが防止される。
【００１８】
また、財布ＷからカードＣを取り出す時は、２つ折り状態の財布Ｗを見開いてカード収納部３を露出させた状態としてから、ポケット５に入っているカードＣの露出部分を指で把持し、ストッパー８を乗り越えるように少し上方向に引き出すことにより、１挙動で簡単にポケット５から取り出すことができる。
【００１９】
以上、本発明の実施の形態について詳細に説明してきたが、本発明による収納具は、上記実施の形態に何ら限定されるものではなく、本発明の趣旨を逸脱しない範囲において種々の変更が可能であることは当然のことである。
【００２０】
例えば、上記の例では、ポケットに差し込んで固定する板状部材の先端にストッパーを形成したが、棒状のストッパーを財布の本体部に直に取り付けるようにしてもよい。この場合のストッパーの材質及び取り付け方は、財布の材質や用途に応じて任意に決めることができる。この場合、滑り止め部分を設けるならば、ポケット内に滑り止めテープを貼り付けるようにすればよい。
【００２１】
また、ストッパーは、ポケットに収納したカードの露出辺と平行に設けられるが、その長さや形状はカードの抜け落ち防止機能、カード入れや財布としてのデザインなどに応じて適宜決めればよいものである。例えば、図４に示すように、ストッパー８をカードＣの露出辺より短くして中央に設けるようにしてもよいし、図５に示すように、短くしたストッパー８を２箇所に設けるようにしてもよい。このように、ストッパーの長さや形状は自由であるが、図示の如くストッパー８を板状部材９に取り付ける場合、カードＣが板状部材９に引っ掛からないようにデザインするのは言うまでもない。
【図面の簡単な説明】
【００２２】
【図１】本発明に係る収納具の一例としての財布を見開き状態で示す平面図である。
【図２】図１の要部を断面で表した説明図である。
【図３】本発明の係る収納具の別の例を図２に対応して示す説明図である。
【図４】図１の財布の変形例を示す平面図である。
【図５】図１の財布のさらに別の変形例を示す平面図である。
【符号の説明】
【００２３】
Ｗ  財布
Ｃ  カード
１  折曲げ部
２  札入れ部
２ａ  札口
３  カード収納部
４  メモ入れ部
５  ポケット
６  本体部
７  蓋部材
８  ストッパー
８ａ，８ｂ  欠き込み
９  板状部材
９ａ  滑り止め部分
【図１】
2006218072.tif 000003
【図２】
2006218072.tif 000004
【図３】
2006218072.tif 000005
【図４】
2006218072.tif 000006
【図５】
2006218072.tif 000007